(57)【要約】【課題】丈方向の一部に、全周にわたって周方向の緊締性を強めたパワー帯を設けることができるようにし、反肌側面及び肌側面において起こり得る不都合を未然に防止できるようにする。【解決手段】衣類形体の形成に用いられる丸編生地２の丈方向の一部に丸編生地２よりも周方向の緊締性が強いパワー帯３が設けられており、丸編生地２は衣類反肌側へ表出させるニードルループＬ1と衣類肌側へ表出させるニードルループＬ2とを丸編生地２の周方向で交互配置されたリブ編組織が衣類丈方向に連続形成されて成り、パワー帯３は反肌側のニードルループＬ1と肌側のニードルループＬ2との界面部分を給糸方向として衣類周方向全周に弾性糸１０が挿入されることにより成り、弾性糸１０には反肌側又は肌側の一方のニードルループＬ1／Ｌ2のみに沿うように周方向１ピッチおきのループ部１１が形成されている。【選択図】図１
2020050989.tif 000002
【特許請求の範囲】
【請求項１】
衣類形体の形成に用いられる丸編生地の丈方向の一部に当該丸編生地よりも周方向の緊締性が強いパワー帯が設けられており、
前記丸編生地は、衣類の反肌側へ表出させるニードルループと衣類の肌側へ表出させるニードルループとを当該丸編生地の周方向で交互配置されたリブ編組織が衣類の丈方向に連続形成されて成り、
前記パワー帯は、前記リブ編組織における反肌側のニードルループと肌側のニードルループとの界面部分を給糸方向として前記衣類の周方向全周に弾性糸が挿入されることにより成り、
前記弾性糸は、前記リブ編組織における反肌側のニードルループが集まって形成される反肌側の最外面及び肌側のニードルループが集まって形成される肌側の最外面のいずれの面に対しても奥まった位置に配置されて表出抑制状態に保持され、
前記弾性糸には、反肌側又は肌側の一方のニードルループのみに沿うように周方向１ピッチおきのループ部が形成されていることを特徴とするパワー帯を備えた衣類。
【請求項２】
前記弾性糸には、当該弾性糸の前記ループ部を沿わせた反肌側のニードルループ相互間又は肌側のニードルループ相互間にそれらのニードルループに係合するシンカーループ間をコース方向へ直線状に渡るパス部が形成されていることを特徴とする請求項１に記載のパワー帯を備えた衣類。
【請求項３】
前記パワー帯は、着用者の脇下位置と股上位置との上下間の少なくとも１箇所に配置されていることを特徴とする請求項１又は請求項２に記載のパワー帯を備えた衣類。
【請求項４】
前記パワー帯は下端を衣類裾部に至らせる配置とされており、
当該パワー帯の下端部には、衣類肌側へ向けて巻き込む方向に編組織をカールさせためくれ防止部が形成されていることを特徴とする請求項３に記載のパワー帯を備えた衣類。
【請求項５】
前記弾性糸はポリウレタンのベア糸であることを特徴とする請求項１乃至請求項４のいずれか１項に記載のパワー帯を備えた衣類。
【請求項６】
前記パワー帯において、前記弾性糸はウエール方向で非隣接となるコース毎に定ピッチ又は乱ピッチで挿入されていることを特徴とする請求項１乃至請求項５のいずれか１項に記載のパワー帯を備えた衣類。
【発明の詳細な説明】
【技術分野】
【０００１】
本発明は、パワー帯を備えた衣類に関する。
【背景技術】
【０００２】
従来、ベア糸を除く弾性糸（即ち、被覆弾性糸）を、丸編機のダイヤル針又はシリンダー針のいずれか一方のみに給糸してプレーティング編しつつ、リブ編組織に交編した肌着用の編地が提案されている（特許文献１）。
この特許文献１では、被覆弾性糸の有する適度な伸長回復応力性能が、リブ編組織によって生起される伸長性を邪魔しない唯一無二のものとして選択されており、これが、編地の製編に用いる弾性糸として被覆弾性糸に限定する（ベア糸を除外する）理由であると説明している。
【０００３】
この理由をもとに考察すると、プレーティング編は編地の編み降ろし方向の全てで実施されることになるために、この編地を用いて製作する肌着は、周方向に一周するように挿入される被覆弾性糸が、丈方向の全長にわたっても連続して配置されてしまうことが、その最も大きな要因にあるのではないか、との結論に行きつく。
なぜなら、肌着を着たり脱いだりすること（以下、単に「着脱」と言う）が容易となり、そのうえで着心地を良質なものに安定させさせるためには、肌着全体としての着圧を圧迫感の出ない範囲に維持させる必要があり、それ故に、被覆弾性糸による適度な伸長回復応力性能を選択することが必須不可欠になるためと指摘できるからである。
【０００４】
ところで、この特許文献１では、編地から製作した肌着において、着用時に肌へ向く面（一般的には肌着内面のことであるが以下では「肌側面」と言う）や、着用時に反肌側とされる面（一般的には肌着外面のことであるが以下では「反肌側面」と言う）で被覆弾性糸が表出しているか否かについて説明されたところはない。
【先行技術文献】
【特許文献】
【０００５】
【特許文献１】特開２０１４−２１４３９９号公報
【発明の概要】
【発明が解決しようとする課題】
【０００６】
特許文献１の編生地は、前記のとおり肌着の周方向及び丈方向の全部に被覆弾性糸が挿入されたものであるので、肌着における丈方向の一部に対してだけ、周方向の緊締性を高める機能を持たせるようなことは、カットソー等の多工程手法を採用しない限り実現できない。換言すれば、肌着全体の着心地として、圧迫感の少ないものを製作することしかできない。
【０００７】
なお、被覆弾性糸をベア糸に置換するようなことをすれば、ベア糸が肌側面に表出する場合には風合い（肌触り感など）や着脱性などに大きく影響し、反対に反肌側面に表出する場合には肌着としての外観などに大きく影響することになる。しかし、被覆弾性糸の使用を限定している特許文献１の編地では、このような事情に対して何ら対策を採っていないことが明らかである。
【０００８】
本発明は、上記事情に鑑みてなされたものであって、丈方向の一部に、全周にわたって周方向の緊締性を強めたパワー帯を設けることができるようにし、また反肌側面及び肌側面において起こり得る不都合を未然に防止できるようにしたパワー帯を備えた衣類を提供することを目的とする。
【課題を解決するための手段】
【０００９】
前記目的を達成するために、本発明は次の手段を講じた。
即ち、本発明に係るパワー帯を備えた衣類は、衣類形体の形成に用いられる丸編生地の丈方向の一部に当該丸編生地よりも周方向の緊締性が強いパワー帯が設けられており、前記丸編生地は、衣類の反肌側へ表出させるニードルループと衣類の肌側へ表出させるニードルループとを当該丸編生地の周方向で交互配置されたリブ編組織が衣類の丈方向に連続形成されて成り、前記パワー帯は、前記リブ編組織における反肌側のニードルループと肌
側のニードルループとの界面部分を給糸方向として前記衣類の周方向全周に弾性糸が挿入されることにより成り、前記弾性糸は、前記リブ編組織における反肌側のニードルループが集まって形成される反肌側の最外面及び肌側のニードルループが集まって形成される肌側の最外面のいずれの面に対しても奥まった位置に配置されて表出抑制状態に保持され、前記弾性糸には、反肌側又は肌側の一方のニードルループのみに沿うように周方向１ピッチおきのループ部が形成されていることを特徴とする。
【００１０】
前記弾性糸には、当該弾性糸の前記ループ部を沿わせた反肌側のニードルループ相互間又は肌側のニードルループ相互間にそれらのニードルループに係合するシンカーループ間をコース方向へ直線状に渡るパス部が形成されたものとするのがよい。
前記パワー帯は、着用者の脇下位置と股上位置との上下間の少なくとも１箇所に配置することができる。
【００１１】
前記パワー帯は下端を衣類裾部に至らせる配置とされており、当該パワー帯の下端部には、衣類肌側へ向けて巻き込む方向に編組織をカールさせためくれ防止部が形成されたものとしてもよい。
前記弾性糸はポリウレタンのベア糸とするのが好適である。
前記パワー帯において、前記弾性糸はウエール方向で非隣接となるコース毎に定ピッチ又は乱ピッチ（数コースに１コースの割合）で挿入されたものとしてもよい。
【発明の効果】
【００１２】
本発明に係るパワー帯を備えた衣類であれば、丈方向の一部に、全周にわたって周方向の緊締性を強めたパワー帯を設けることができ、また反肌側面及び肌側面において起こり得る不都合を未然に防止することができる。
【図面の簡単な説明】
【００１３】
【図１】本発明に係るパワー帯を備えた衣類の第１実施形態を示しており（ａ）は左半身に相当する正面図であり（ｂ）は（ａ）のＡ−Ａ線拡大断面図である。
【図２】図１のパワー帯を肌側から模式的に示した編組織図である。
【図３】図１パワー帯を反肌側から模式的に示した編組織図である。
【図４】図１のパワー帯を模式的に示した断面図である。
【図５】ダイヤル側にニットインする場合におけるパワー帯の編成状況を示しており（ａ）は丸編機を模式的に示した斜視図であり（ｂ）は（ａ）のＢ部を拡大して針動作を解析した説明図である。
【図６】本発明に係るパワー帯を備えた衣類の第２実施形態を示しており（ａ）は左半身に相当する正面図であり（ｂ）は（ａ）のＣ−Ｃ線拡大断面図である。
【発明を実施するための形態】
【００１４】
以下、本発明の実施の形態を説明する。
図１乃至図４は、本発明に係るパワー帯を備えた衣類（以下、「本発明衣類」と言う）１の第１実施形態を示している。本発明衣類１は、衣類形体の形成に用いられた丸編生地２の丈方向の一部に対してパワー帯３が備えられたものである。
パワー帯３は、パワー帯３の設けられていない部位（丸編生地２が単独で用いられている部位）に比べて周方向の緊締性が強い部位である。従って本発明衣類１の着用時には、着用者に対してパワー帯３の対応部位に、他部位よりも強めの着圧を生起させることができるものである。パワー帯３は、着用者の脇下位置と股上位置との上下間に配置することが推奨される。
【００１５】
本第１実施形態において、本発明衣類１の衣類形体は半袖シャツ形の上衣としてあり、パワー帯３は着用時に着用者の腹部回りを一周する配置とした例を示している。そのため、本発明衣類１を着用することで、着用者は腹部（正面を挟んだ左右のわき腹間）及び背中側の腰椎周辺がパワー帯３で包囲されるようになり、腹圧が他の部分の着圧よりも高められると同時に、体幹がしっかり安定されるという着用者にとって好適な様々な効果（姿勢矯正に伴う各種の効果をはじめ運動機能の補助や向上、ダイエット効果など）を得ることができる。
【００１６】
なお、図示は省略するが、本発明衣類１に対し、着用者の左右の肩に対応する部位を頂
点として背中の中心でクロスさせ左右の脇腹周辺に至るように、Ｘ字状の緊締体を付着させると一層好適である。このＸ字状の緊締体により、引き締め作用を必要部分で強調させることができるので、左右の肩甲骨を中央へ寄せるような作用が得られると共に、体幹の更なる安定化や強化にも有益となる。
【００１７】
Ｘ字状の緊締体は、別途形成した生地をカットソーや接着方法により取り付ける方法をはじめとして、溶融樹脂を塗布含浸させる方法などで丸編生地２に付着させることができる。加えて、Ｘ字状としたのはあくまでも緊締体における形状の一例にすぎず、相対逆向きにした円弧状帯体をクロスさせることなく背合わせに近接させた形状としたり複数本の帯体を着用者の丈方向や胴回り方向で並行させた形状としたりするなど、その形状や組み合わせ、配置等は適宜変更可能である。
【００１８】
前記のように、本第１実施形態では着用者の腹圧の強化及び体幹の安定を得ることが主目的なので、パワー帯３は着用者の腹部に相当する高さ領域に配置されれば足りる。従ってパワー帯３の上位側には着用者の肩部から胸部にかけた部位を、丸編生地２単独によって包囲する上位側部位４が設けられ、またパワー帯３の下位側には着用者の腰部回りを丸編生地２単独で包囲する下位側部位５が設けられたものとなっている。このことにより、着用者に対して着圧の強い部位が徒に多く生じないように配慮してある。
【００１９】
なお、このようなパワー帯３は、丸編生地２単独の部位との間で水平方向に境界部を生じさせたものとなっている。すなわち、丸編生地２を製編する過程にあって、衣類形体の丈方向中途部に、上位側部位４とパワー帯３との間、及びパワー帯３と下位側部位５との間で少なくとも２度の切替（後述するように詳しくは弾性糸を入れたり抜いたりすること）を実行しながら連続製編を行うものである。
【００２０】
この切替を行うことで、図１（ｂ）に示すように、パワー帯３の上縁部及び下縁部は丸編生地２単独の部位から肌側へ少し引き込むような配置となるが、この配置が得られることで、本発明衣類１の着用時にパワー帯３に緊締力が生じた際でも、パワー帯３やその周囲の丸編生地２に対してよれ皺などが生じ難くなっている。そのため、パワー帯３の全域にわたり、着用者に対して直接的且つ無駄なく緊締力が伝わるようになり、また皺による着心地の低下や見栄えの悪化等を招来することもない。
【００２１】
次に、パワー帯３を含む丸編生地２の編組織について説明する。
丸編生地２は「筒状生地」等とも呼称され、衣類の丈方向にわたってリブ編組織（「ゴム編」や「フライス編」、場合によっては「ダブル編」等と呼称されることもある）を連続形成させたものである。
リブ編組織は、針床を複数有した編機（多くの場合はダイヤルとシリンダーを有するダブルの丸編機）によって製編される編組織であって、図２乃至図４に示すように、衣類の反肌側へ表出するニードルループＬ1と、衣類の肌側へ表出するニードルループＬ2とが、衣類周方向で交互配置されている。
【００２２】
このような丸編生地２にあっては、衣類周方向を製編時に糸を走らせる「コース方向」とし、衣類丈方向を編成時に編み降ろす「ウエール方向」とする。そのため、反肌側のニードルループＬ1と肌側のニードルループＬ2とは、それぞれウエール方向に列を生じつつコース方向で交互配置となっている、と換言することもできる。
更に言えば、衣類の反肌側は、反肌側へ表出するニードルループＬ1が集まって形成される面であり、衣類の肌側は、肌側へ表出するニードルループＬ2が集まって形成される面であると言うこともできる。
【００２３】
なお、「ニードルループＬ1，Ｌ2」は、編み針の製編動作で形成される上向きに凸となる半円状のループを言う。これに対して下向きに凸となる半円状のループについては、一般的に、編機において糸の引き下げにシンカーを使用するか否かに拘わらず編組織としては「シンカーループ」と呼称されることがあるので、本明細書でもこの呼称を採用する。
一方で、パワー帯３の編組織は、丸編生地２をベースとして、リブ編組織における反肌側のニードルループＬ1と肌側のニードルループＬ2との界面部分を給糸方向（図４の左右方向）とすべく、衣類の周方向全周に弾性糸１０が挿入されることにより成る。
【００２４】
弾性糸１０は１コースおきに挿入されている。すなわち、ウエール方向において弾性糸
１０が直接的に隣接するものではない。なお、弾性糸１０を挿入するコース数は、１コースおきとすることに限定されるものではなく、数コースに１コースの割合で挿入するような場合も含む。また、定ピッチとしても乱ピッチとしてもよい。
このように、丸編生地２がパワー帯３を含んだ全体として、編組織のベースとなっていることは、本発明衣類１が基本的には全て同じリブ編組織で形成されていることを意味している。すなわち、衣類全体として生じる伸縮性については、リブ編組織により得られる均一な伸縮性が保たれていることになるので、それだけ着脱性に優れたものであり、また着用時の動作に柔軟に追従して着心地に優れるものであると言える。のみならず、衣類全体としての一体感が得られるので、パワー帯３が目立ちにくくなり外観性に優れたものと成る。
【００２５】
ところで、仮に切替を採用せずにパワー帯３を設けさせることを想定すると、カットソー等の追加の工程が必要になるが、カットソーを採用すれば、当然にパワー帯３の上縁や下縁に生地の重なり部が生じると共に、この生地重なり部には縫製の糸も存在することになる。そのため、生地厚が局部的に分厚くなって、しかもこの部分が周辺よりも硬くなる。そのため、着用者にとってはゴワツキ感が強調されることになり、更には縫製の糸による肌触りの違和感なども加わって、着心地を低下させることに繋がる等、種々様々な問題を生じるものである。
【００２６】
このような弾性糸１０は、反肌側のニードルループＬ1又は肌側のニードルループＬ2の一方のみ（本第１実施形態では反肌側のニードルループＬ1とした）に沿うようにして編み込まれている。そのため、周方向（コース方向）では１ピッチおきのループ部１１が形成されていることになる。
また弾性糸１０は、ループ部１１を沿わせた反肌側のニードルループＬ1の相互間又は肌側のニードルループＬ2の相互間では、それらのシンカーループＳ同士間をコース方向へ直線状に渡るパス部１２が形成されていることになる。
【００２７】
なお、このように弾性糸１０は反肌側のニードルループＬ1又は肌側のニードルループＬ2のうち一方のみに沿った配置とされるため、生地断面方向において弾性糸１０の蛇行は可及的に抑えられるようになっており、弾性糸１０は、そのぶんだけ周方向の緊締力を生起し易いもの（緊締力の損失の少ないもの）とされている。
弾性糸１０は、緊締力を重要な作用効果とするものであることから、ポリウレタンのベア糸等より成るものを選出するのが好適とされる。なお、要求される緊締力の強度や丸編生地２を形成する地糸との繊度の関係などにもよるが、弾性糸１０を被覆弾性糸とすることが除外されるものではない。
【００２８】
ここで、丸編生地２の肌側（図２）を観察すれば、弾性糸１０のループ部１１には、このループ部１１を沿わせている反肌側のニードルループＬ1に係合してコース方向の両側へ振り分けられた２本のシンカーループＳと、前記ニードルループＬ1のオールドループＯＬ（ウエール方向の一つ下位置のニードルループ）とが、被さるように交差していることが判る。更には、弾性糸１０のパス部１２には、肌側のニードルループＬ2が被さるように交差していることが判る。
【００２９】
他方、丸編生地２の反肌側（図３）で観察すれば、弾性糸１０のループ部１１を沿わせている反肌側のニードルループＬ1及びこのニードルループＬ1に連続してコース方向の両側へ振り分けられた２本のシンカーループＳが、弾性糸１０に対してパス部１２の一部を除いた略全体に被さるようになっていることが判る。
要するに、弾性糸１０は、複数箇所に及ぶ肌側及び反肌側からの被さりを受けていることにより、リブ編組織における反肌側のニードルループＬ1が集まって形成される反肌側の最外面や、肌側のニードルループＬ2が集まって形成される肌側の最外面に対して、いずれも最外面より奥まった位置に配置されていることになる。
【００３０】
そのため、弾性糸１０は、肌側の最外面でも反肌側の最外面でも、非表出状態（触れ難く見え難い配置）に保持されていることになる。これにより、弾性糸１０としてポリウレタンのベア糸を用いた場合であっても、肌側の面において風合い（肌触り感など）や着脱性などに悪影響が出るおそれはなく、反肌側の面において外観などに悪影響が出るおそれ
もない。
【００３１】
次に、丸編生地２の製編と共にパワー帯３を形成させる方法を説明する。なお、ダブルの丸編機２０により製編する場合を例示する。図５は、シリンダー２１に保持されて上下動するシリンダー針２２と、ダイヤル２３に保持されて放射状に水平動するダイヤル針２４との動作軌跡を模式的に示したものである。
パワー帯３の設けられていない部位（丸編生地２が単独で用いられている部位）の製編は、図５（ｂ）に示すように、シリンダー針２２が上昇と下降をする針動作のうち、下降する中でダイヤル針２４を径方向外方へ進出させ、その後に退入するという針動作を繰り返し行うことで、リブ編組織を連続的に編み下ろしてゆく。
【００３２】
丸編生地２の製編過程にあって、衣類形体の丈方向中途部で上位側部位４とパワー帯３との間に到達すると弾性糸１０の糸入れを伴わせた切替を実行し、その後、パワー帯３と下位側部位５との間に到達すると弾性糸１０の糸抜きを伴わせた切替を実行する。
勿論、上位側部位４と下位側部位５との上下関係を逆にして製編を進めるようにしてもよく、この場合は上位側部位４や下位側部位５に対する弾性糸１０の糸入れ及び糸抜きの操作も逆にすればよい。
【００３３】
弾性糸１０の糸入れは、シリンダー針２２がシリンダー２１の歯口より下に下降し、ダイヤル針２４がダイヤル２３の歯口へ向かって退入を行っているタイミング（ダイヤル針２４がダイヤル２３の歯口に隠れる直前）を狙って鋭角的に給糸を行う。
このタイミングで弾性糸１０の給糸を行うことで、シリンダー針２２には弾性糸１０を食わせることなく、ダイヤル針２４で反肌側のニードルループＬ1に対してのみ弾性糸１０を食わせることができるので、パワー帯３を形成させることができる。
【００３４】
なお、シリンダー針２２とダイヤル針２４との動作タイミングを相対逆に設定することも可能であり、この場合には、ダイヤル針２４には弾性糸１０を食わせることなく、シリンダー針２２で肌側のニードルループＬ2に対してのみ弾性糸１０を食わせることができるので、これによってもパワー帯３を形成させることができる。
図６は、本発明衣類１の第２実施形態を示している。本第２実施形態が第１実施形態（図１参照）と最も異なるところは、パワー帯３が配置された部位とパワー帯３のカール方向を肌側に向けるか反肌側に向けるかである。
【００３５】
パワー帯３は、下端を衣類裾部に至らせる配置とされている。そのため、本発明衣類１を着用することで、着用者は骨盤部まわりがパワー帯３で包囲されるようになり、左右の仙腸関節が引き締められるという着用者にとって好適な様々な効果（姿勢矯正に伴う各種の効果をはじめ運動機能の補助や向上、ダイエット効果など）を得ることができる。
また、このパワー帯３の下端部には、衣類肌側へ向けて巻き込む方向に編組織をカールさせためくれ防止部３０が形成されている。そして、このめくれ防止部３０の下縁部に続けて下方へヘム部３１が設けられている。
【００３６】
このめくれ防止部３０では、図６（ｂ）に示すように、パワー帯３の上縁部及び下縁部が丸編生地２単独の部位から反肌側へ少し出っ張るような配置となっている。この配置が得られることで、本発明衣類１を着用した状態で着用者が諸動作を行ったとしても、ヘム部３１を含めた衣類裾部がめくれ上がるようなことはない。
その他の構成や作用効果については第１実施形態と略同様であるので、同一作用を奏する部位に同一符号を付することによってここでの詳説は省略する。
【００３７】
ところで、本発明は、前記した各実施形態に限定されるものではなく、実施の形態に応じて適宜変更可能である。
例えば、インレイにより弾性糸１０を給糸して、図１における反肌側のニードルループＬ1にも肌側のニードルループＬ2にも沿わすことなく（ループ部１１を形成させずに）弾性糸１０を編み込ませるようにしても、弾性糸１０による緊締力をうまく利用したパワー帯３とすることが可能である。
【００３８】
本発明衣類１を実施する衣類形体については、上衣に限らず下衣でもよく、パンティストッキングやストッキング、靴下など何ら限定されるものではない。また、着用時において着用者の肌に直接触れるか否か（肌着とするか否か）についても、何ら限定されるもの
ではない。
【符号の説明】
【００３９】
１  パワー帯を備えた衣類（本発明衣類）
２  丸編生地
３  パワー帯
４  上位側部位
５  下位側部位
１０  弾性糸
１１  ループ部
１２  パス部
２０  丸編機
２１  シリンダー
２２  シリンダー針
２３  ダイヤル
２４  ダイヤル針
３０  めくれ防止部
３１  ヘム部
Ｌ1  反肌側のニードルループ
Ｌ2  肌側のニードルループ
Ｓ  シンカーループ
ＯＬ  オールドループ
【図１】
2020050989.tif 000003
【図２】
2020050989.tif 000004
【図３】
2020050989.tif 000005
【図４】
2020050989.tif 000006
【図５】
2020050989.tif 000007
【図６】
2020050989.tif 000008